(57)【特許請求の範囲】
【請求項１】
（ａ）インターネットを介してホームページ上で墓参り代行サービスの募集を行う手段と、
（ｂ）該募集及び契約に基づいてサービスを実行すると共にその実行内容をデジタルカメラ等によってデジタル画像化する手段と、
（ｃ）清掃、焼香、献花等のサービス実行現場のデジタル画像をｅメールを介して伝送する手段と、
（ｄ）教典の種類等をデータベース化すると共に該データベースから一定条件下でクライアントに最も適した教典をコンピュータで検索する手段と、該教典の内容を音声及び／又はテキストデータでｅ−メールを介して伝送する手段と、
（ｅ）（ｄ）の検索にあたって、一のクライアントに過去の伝送内容と重複した選択を避けるよう記憶する手段と、
から構成される墓参り代行サービスシステム。
【請求項２】
住職の講話を音声及び／又はテキストデータでｅメールを介して伝送する手段を有する請求項１記載の墓参り代行サービスシステム。
【請求項３】
月命日又はクライアントの誕生日を基に占いを行いｅ−メールで伝送する手段を有する請求１，２項いずれか１項記載の墓参り代行サービスシステム。
【発明の詳細な説明】
【０００１】
【発明の属する技術分野】
本発明は、遠方等の理由で墓参りのできない家族、親族等に代わって、清掃、焼香、献花等の墓参り代行サービスを行う為のシステムに関する。
【従来の技術】
【０００２】
今日、転勤その他で家族及び親族が遠方に散らばることが多く、墓参りが困難になってしまう事情が数多く発生しているが、これを補う為に、墓参りを代行しようというサービスは既になされている。
しかし、その内容は、単に、墓参りを代行すると共にそれを手紙等で事後報告するに過ぎず、どのような形態で、どのようなサービスが行われたのか不明であり、真に先祖供養を願うクライアントにとっては不満足なものでしかなかった。
【０００３】
【発明が解決しようとする課題】
そこで本発明は、墓参り代行にあたって、インターネット網を利用して、募集を行うと共に、サービスした内容をｅ−メイルを介して画像等をデジタル伝送し、更に、住職による読経、講話等の音声をデジタル伝送する等して、本人が直接に墓参りしたと同様の臨場感を伴うシステムを提供しようとするものである。
【０００４】
【課題を解決するための手段】
本発明墓参り代行サービスシステムは、（ａ）インターネットを介してホームページ上で墓参り代行サービスの募集を行う手段と、（ｂ）該募集及び契約に基づいてサービスを実行すると共にその実行内容をデジタルカメラ等によってデジタル画像化する手段と、（ｃ）清掃、焼香等のサービス実行現場のデジタル画像をｅメールを介して伝送する手段と、（ｄ）教典の種類等をデータベース化すると共に該データベースから一定条件下でクライアントに最も適した教典をコンピュータで検索する手段と、該教典の内容を音声及び／又はテキストデータでｅ−メールを介して伝送する手段と、（ｅ）（ｄ）の検索にあたって、一のクライアントに過去の伝送と重複した選択を避けるよう記憶する手段とから構成される。
【０００５】
【発明の実施の形態】
本発明のシステムは、墓参りの代行を実行すると共にその活動をインターネット網と組み合わせて有機的なサービスとしようとするもので、先ず、（ａ）インターネットを介して代行サービスの募集を行う手段を設定する。
該インターネット上にホームページを開設し、宣伝、広告活動の一環とすると共に、募集を行い、そこから後述のサービスの申し込みを受付ける。
該ホームページ上には、サービスの具体的内容や、契約方法、入金方法等を明示し、該ホームページの説明によって、顧客がサービスを受けたい旨の申し込みをする場合には、該ホームページから個別の申し込みを受けられるよう、ｅメールによる申し込み手段を設定する。
【０００６】
その申し込みを受けたら、契約書を郵送し、代行すべきサービスの内容及び入金方法等を確認するが、この申し込み及び契約、決済等は電子商取引によっても可能である。
【０００７】
次いで、（ｂ）該募集及び契約に基づいてサービスを実行すると共に、その実行内容をデジタルカメラ等によってデジタル画像化する手段を設定する。
その代行すべきサービスの内容は、▲１▼墓の清掃、▲２▼焼香、▲３▼献花、▲４▼読経等が挙げられる。
読経に対しては、寺の住職に依頼して、仏教の教典に沿って、読経してもらうが、このとき、その宗旨に沿って、適切な教典とする。
更に、▲５▼期日を定め、上記サービスを行う期日に対し、例えば、命日又は月命日毎に行う場合、春と秋の彼岸に行う場合、盆に行う場合、或いはこれらを含んで１年内の管理を定める場合等を定める。
【０００８】
上記内容が決定したら、その期日に契約内容に沿って、サービスを実行する。その際、清掃、焼香、献花、読経等の行われている実際の姿をデジタルカメラ等で撮影する。
【０００９】
次いで、上記サービスが実行されたら、（ｃ）清掃、焼香、献花等のサービス実行現場のデジタル画像をｅメールを介して伝送する手段を設定する。
それは、上記デジタルカメラに収めた清掃、焼香、献花等の現場の画像を、インターネットを介してクライアントのｅ−メイルアドレスに伝送するが、該画像には、画像処理の方法によって、書き込みや装飾が可能であり、ボカシ等を入れた夢のある画像に編集することができる。
【００１０】
次いで、（ｄ）教典の種類等をデータベース化すると共に該データベースから一定条件下でクライアントに最も適した教典をコンピュータで検索する手段と、該教典の内容を音声及び／又はテキストデータでｅ−メールを介して伝送する手段を設定する。
即ち、これは代行サービスの報告という意味では上記画像伝送で充分であるが、これに加え、クライアントに最も適した教典を伝送し、釈迦の教えの一端に触れる機会を与え、又、住職の講話等を加え真の意味での墓参りの意義を深めようとするものである。
【００１１】
そこで、先ず、曹洞宗、臨済宗、日蓮宗、浄土真宗等のその家の宗旨に沿って読経すべき教典を選択するが、しかしこの教典は、不特定多数のクライアントを対象とすると、その数は膨大なものとなる。
従って、住職等と協議の上、読経すべき教典の内容はデータベース化する。そして、宗旨、季節、仏教行事、年齢、職業、続柄等を検索条件として、そのクライアントにとって最も適切と思われる教典を条件によってコンピュータによって検索できるソフトプログラムを開発し、それによって選択する。
【００１２】
例えば、上記検索によって般若心経が選択された場合には、
「観自在菩薩。行深般若波羅蜜多・時照見。五蘊皆空。度一切苦厄。
舎利子・色不異空。空不異色。色即是空・空即是色。受想行識。亦復如是。
・・」の読経をデジタル音声で、ｅ−メールを介して伝送する。
【００１３】
同時に、読経だけでなく、音声伝送には、住職の短い講話を入れることができる。
上記教典は、難解で容易には理解が得られないから、住職等の講話により、現代的意味に訳しながらの説明等が受けられる。
【００１４】
例えば、講話の内容は、上記般若心経の現代的意訳として、
「自在に真理を観る心眼を開かれた菩薩は、この般若心経をを行すれば、全ての物体や精神は総て、空で在ると達観出来れば一切の苦しみや厄いから免れることができるであろう。舎利子よ、物は空に異ならないし、空は物に異ならないのだ。物は即ち空であり、空は即ち是れ物なのである。受・想・行・識も亦また是のようなものであるぞよ。・・・」
との内容を、デジタル音声で伝送する。
尚、上記教典及び住職の講話をデジタル音声で伝送するとしたが、これに代わってテキストデータによる文書にしても、又、双方とも伝送しても良い。
【００１５】
これらによって、人生への悩みや、釈迦の教えを知ることでき、墓参り本来の意義を復活させるものとなる。
この講話の内容は、上記読経した教典の内容に対するものであっても良いし、又は、それを離れて住職による独自の内容であっても良い。
【００１６】
次いで、（ｅ）上記（ｄ）の検索にあたって、一のクライアントに過去の伝送と重複した選択を避けるよう記憶する手段を設定する。
上記読経及び講話は、それが同一のクライアントに対してはあまり重複しない方が望ましい。
そこで、上記プログラムには、メモリー機能を含ませ、一度伝送した内容をクライアント毎に記憶させ、できるだけ重複を避けるようにする。
【００１７】
更に、本発明のサービスの趣向性を高める上で、命日及びクライアントの誕生日等を基に、占いを行う手段を加えることもできる。
例えば、九星占星術に従うと、昭和２２年生まれの人は、八白土星に該当し、これにより、八白土星の人の、年運、月運、及び毎日の運勢を示す。
因みに、９９年９月の月運は、
「ますます運気に勢いが出てきて、何事にも意欲的になれます。自分の立場や境遇に変化が起こり、苦労していたことも過ぎてみれば笑い話となり、新たな気持ちで物事に取り組むことができるでしょう。・・・」
と示される。
これを音声又は画像で伝送する。
【００１８】
更に、月命日毎に、墓参りする場合には、その月の花を献花すると共に、その花言葉をｅ−メール上に載せることができる。
例えば、月命日が３月１８日の場合には、アイリスの花を墓に献花して、ｅ−メール上に「愛」の花言葉を載せる。
上記占い及び花言葉は趣向性を高め、当該サービスをより楽しいものとなる。
【００１９】
尚、上記実施形態は仏教を例に説明したが、キリスト教等にも適用が可能である。
【００２０】
【発明の効果】
上記構成に基づいて本発明は、以下の如き効果を奏する。
（ａ）墓参りの代行を行うと共に、その実行したサービスをデジタル画像としてｅ−メールを介してクライアントに伝送できるので、クライアントは即時にサービスの内容を確認できるだけでなく、その画像を通して本人が直接参加したと同様の臨場感を伴うサービスが実現できる。
（ｂ）又、単に墓参りの代行だけでなく、クライアントに最も適した教典が音声等でｅメールを介して伝送されるので、釈迦の教えの一端に触れることが、又住職の講話等が加わり真の意味での墓参りの意義が深められる。
（ｃ）更に、占い、花言葉等によって、墓参りを楽しく、趣向性に富んだものとすることができる。
【図面の簡単な説明】
【図１】本発明サービスシステムの概略を示すフローチャート図。
【図１】
0004054501.tif 000002